(57)【要約】【課題】複数の機器盤を一括冷却することが可能となる受配電盤を提供する。【解決手段】監視盤１０及び制御保護盤２０と、電力変換器盤３０及び連系変圧器盤４０と、排気盤例えば補機盤５０を順次所定方向に一直線上に並置し、各盤間連通させ、吸気盤を構成する制御保護盤２０の筐体２１内には、筐体２１の側面に形成されている吸気用開口部１２１、１２２から所定距離だけ離隔して吸気用ファン２２を内蔵させ、また排気盤例えば補機盤５０を構成する筐体５１内には、筐体５１の側面に形成されている排気用開口部５２から所定距離だけ離隔して排気用ファン５３を内蔵させ、吸気用ファン２２により取り込まれた吸気盤内の風を風洞盤に送り込み、最後に排気盤において排気用ファン５３により外部に放出させる強制風冷の横断冷却方式の受配電盤。【選択図】    図１
2008035635.tif 000002
【特許請求の範囲】
【請求項１】
吸気盤用筐体の側壁に吸気用開口部が形成され、前記吸気盤用筐体内であって前記吸気用開口部に近接して吸気用ファンが収納され、かつ負荷に電力を供給可能な構成の吸気盤と、
電力供給源からの直流電力又は交流電力を電力変換した電力を前記負荷に供給する風冷方式の電力変換器を風洞盤用筐体内に収納した風洞盤と、
排気盤用筐体の側壁に排気用開口部が形成され、前記排気盤用筐体内であって前記排気用開口部に近接して排気用ファンが収納され、かつ前記電力供給源からの直流電力又は交流電力を取り込み可能な構成の排気盤とを具備し、
前記吸気盤と、前記風洞盤と、前記排気盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記風洞盤用筐体内部に発生する冷却風により、前記電力変換器を冷却するようにしたことを特徴とする受配電盤。
【請求項２】
監視盤用筐体の側壁に吸気用開口部が形成され、負荷に電力を供給可能な構成で、全体の機器の監視を行なうための監視盤と、
制御保護盤用筐体内に吸気用ファンが収納されると共に、盤全体の制御保護機器を収納した制御保護盤と、
電力供給源からの直流電力又は交流電力を電力変換した電力を前記負荷に供給する風冷式の電力変換器を電力変換器盤用筐体内に収納した電力変換器盤と、
補機盤用筐体の側壁に排気用開口部が形成され、前記補機盤用筐体内であって前記排気用開口部に近接して排気用ファンが収納され、かつ前記電力供給源からの直流電力又は交流電力を取り込み可能な構成の補機盤とを具備し、
前記監視盤と、前記制御保護盤と、前記電力変換器盤と、前記補機盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記制御保護盤用筐体内部に発生する冷却風により、前記電力変換器を冷却するようにしたことを特徴とする受配電盤。
【請求項３】
監視盤用筐体の側壁に吸気用開口部が形成され、負荷に電力を供給可能な構成で全体の機器の監視を行なうための監視盤と、
制御保護盤用筐体内に吸気用ファンが収納されると共に、盤全体の制御保護機器を収納した制御保護盤と、
電力供給源からの直流電力又は交流電力を電力変換した電力を前記負荷に供給する風冷式の電力変換器を電力変換器盤用筐体内に収納した電力変換器盤と、
前記電力供給源からの交流電圧を降圧又は昇圧する連系変圧器を連系変圧器盤用筐体内に収納した連系変圧器盤と、
補機盤用筐体の側壁に排気用開口部が形成され、前記補機盤用筐体内であって前記排気用開口部に近接して排気用ファンが収納され、かつ前記電力供給源からの直流電力又は交流電力を取り込み可能な構成の補機盤とを具備し、
前記監視盤と、前記制御保護盤と、前記電力変換器盤と、前記連系変圧器盤と、前記補機盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記制御保護盤筐体内部に発生する冷却風により、前記電力変換器及び前記連系変圧器を冷却するようにしたことを特徴とする受配電盤。
【請求項４】
前記吸気用ファンを前記吸気用開口部から所定距離だけ離隔して配置したことを特徴とする請求項１乃至３のいずれか１項に記載の受配電盤。
【請求項５】
前記排気用ファンを前記排気用開口部から所定距離だけ離隔して配置したことを特徴とする請求項１乃至３のいずれか１項に記載の受配電盤。
【請求項６】
前記吸気用開口部から前記排気用開口部の間であって、前記列盤内に発生する冷却風の流れが、前記排気用開口部に向かうに従い増速流となるように構成したことを特徴とする請求項１乃至５のいずれか１項に記載の受配電盤。
【請求項７】
前記排気用開口部に向かうに従い増速流となるようにする構成は、前記列盤を構成している機器盤内の流路断面積を変化させることで行なうようにしたことを特徴とする請求項１乃至６のいずれか１項に記載の受配電盤。
【請求項８】
前記吸気用ファン及び前記排気用ファンにより発生する冷却風の一部である微弱な冷却風を、前記制御監視盤内にある制御基板の周囲に循環させるように、前記監視盤及び前記制御保護盤の筐体内に、前記冷却風を所定方向に導く導風路を有する仕切部材を設けたことを特徴とする請求項３に記載の受配電盤。
【請求項９】
前記各機器盤の筐体を構成する少なくとも側面部材及び天井部材の内側又は外側にそれぞれカバーを配設し、前記筐体を構成する部材と前記カバーとの間に空気層を形成したことを特徴とする請求項１乃至８のいずれか１項に記載の受配電盤。
【発明の詳細な説明】
【技術分野】
【０００１】
本発明は、少なくとも吸気盤と、風洞盤と、排気盤からなり、これらを順次所定方向に一直線上に並置し、前記吸気盤内に配設された吸気用ファン及び前記排気盤内に配設された排気用ファンにより発生する冷却風により、前記風洞盤内の風冷式の例えば電力変換器を冷却するようにした受配電盤に関する。
【背景技術】
【０００２】
従来、電力変換装置における冷却は、冷却媒体として水や油、空気が主体である。このうち空気を冷却媒体とし、ファンを用いた冷却方式(以下強制風冷方式と称する)を行なう電力変換装置では、電力変換装置を構成している監視盤、制御保護盤、交直変換器盤、連系変圧器盤、補機盤を個別に構成し、各々に吸気口、排気用開口部を有する屋根部(天井部)具備する盤内にファンを設け、排気用開口部より排気する構造が一般的である。
【０００３】
従来の電力変換装置の冷却構造について、図１４及び図１５を用いて説明する。前述の各盤は、いずれも筐体０１内に各機器(図示せず)が収納され、筐体０１の例えば正面側に形成されている吸気口０２から外気を筐体０１内に吸気し、筐体０１の上部に配置したファン(図示せず)により筐体０１内の熱を吸引し、筐体０１の上部に形成されている排気口０３から筐体０１の外部に排気する構造となっている。図１５において、矢印(幅広矢印)は空気の流れを示している。
【発明の開示】
【発明が解決しようとする課題】
【０００４】
以上述べた図１４及び図１５に示す従来の電力変換装置における冷却構造の場合、各機器を収納している盤毎に個別に冷却しなくてはならず、各盤に各々冷却ファンを設置する必要があり、電力変換装置の外形が大きくなり保有地等の制約が多い。また、屋外に設置した際には屋根部に設けた排気用開口部からの雨水浸入に対して配慮した構造としなくてはならない。
【０００５】
本発明は、複数の機器盤を一括冷却することが可能となる受配電盤を提供することを目的とする。
【課題を解決するための手段】
【０００６】
前記目的を達成するため、請求項１に対応する発明は、吸気盤用筐体の側壁に吸気用開口部が形成され、前記吸気盤用筐体内であって前記吸気用開口部に近接して吸気用ファンが収納され、かつ負荷に電力を供給可能な構成の吸気盤と、
電力供給源からの直流電力又は交流電力を電力変換した電力を前記負荷に供給する風冷方式の電力変換器を風洞盤用筐体内に収納した風洞盤と、
排気盤用筐体の側壁に排気用開口部が形成され、前記排気盤用筐体内であって前記排気用開口部に近接して排気用ファンが収納され、かつ前記電力供給源からの直流電力又は交流電力を取り込み可能な構成の排気盤とを具備し、
前記吸気盤と、前記風洞盤と、前記排気盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記風洞盤用筐体内部に発生する冷却風により、前記電力変換器を冷却するようにした受配電盤である。
【０００７】
前記目的を達成するため、請求項２に対応する発明は、監視盤用筐体の側壁に吸気用開口部が形成され、負荷に電力を供給可能な構成で、全体の機器の監視を行なうための監視盤と、
制御保護盤用筐体内に吸気用ファンが収納されると共に、盤全体の制御保護機器を収納した制御保護盤と、
電力供給源からの直流電力又は交流電力を電力変換した電力を前記負荷に供給する風冷式の電力変換器を電力変換器盤用筐体内に収納した電力変換器盤と、
補機盤用筐体の側壁に排気用開口部が形成され、前記補機盤用筐体内であって前記排気用開口部に近接して排気用ファンが収納され、かつ前記電力供給源からの直流電力又は交流電力を取り込み可能な構成の補機盤とを具備し、
前記監視盤と、前記制御保護盤と、前記電力変換器盤と、前記補機盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記制御保護盤用筐体内部に発生する冷却風により、前記電力変換器を冷却するようにした受配電盤である。
【０００８】
前記目的を達成するため、請求項３に対応する発明は、監視盤用筐体の側壁に吸気用開口部が形成され、負荷に電力を供給可能な構成で全体の機器の監視を行なうための監視盤と、
制御保護盤用筐体内に吸気用ファンが収納されると共に、盤全体の制御保護機器を収納した制御保護盤と、
電力供給源からの直流電力又は交流電力を電力変換した電力を前記負荷に供給する風冷式の電力変換器を電力変換器盤用筐体内に収納した電力変換器盤と、
前記電力供給源からの交流電圧を降圧又は昇圧する連系変圧器を連系変圧器盤用筐体内に収納した連系変圧器盤と、
補機盤用筐体の側壁に排気用開口部が形成され、前記補機盤用筐体内であって前記排気用開口部に近接して排気用ファンが収納され、かつ前記電力供給源からの直流電力又は交流電力を取り込み可能な構成の補機盤とを具備し、
前記監視盤と、前記制御保護盤と、前記電力変換器盤と、前記連系変圧器盤と、前記補機盤を順次所定方向に一直線状に並置した列盤構成とすると共に、各盤相互間を連通し、前記吸気用ファンにより前記吸気用開口部を介して前記列盤内に外気を吸入し、前記排気用ファンにより前記排気用開口部を介して前記列盤外部に排出することで、前記制御保護盤筐体内部に発生する冷却風により、前記電力変換器及び前記連系変圧器を冷却するようにした受配電盤である。
【発明の効果】
【０００９】
本発明によれば、複数の機器盤を一括冷却することが可能となる受配電盤を提供することができる。
【発明を実施するための最良の形態】
【００１０】
以下本発明の実施形態について、図面を参照して説明するが、その前に本発明の概要について、図１〜図３を参照して説明する。ここで、本発明の受配電盤は、吸気盤例えば監視盤１０及び制御保護盤２０と、風洞盤例えば４個の電力変換器盤３０及び連系変圧器盤４０と、排気盤例えば補機盤５０を順次所定方向に一直線上に並置し、各盤間連通させ、吸気盤を構成する筐体例えば制御保護盤２０の筐体２１内には、筐体２１の側面に形成されている吸気用開口部１２１、１２２から所定距離だけ離隔して吸気用ファン２２を内蔵させ、また排気盤例えば補機盤５０を構成する筐体５１内には、筐体５１の側面に形成されている排気用開口部５２から所定距離だけ離隔して排気用ファン５３を内蔵させ、吸気用ファン２２により取り込まれた吸気盤内の風を風洞盤に送り込み、最後に排気盤において排気用ファン５３により外部に放出させる強制風冷の横断冷却方式である。
【００１１】
監視盤１０は、監視盤用筐体１１の側壁であって、左側壁背面側及び背面側にそれぞれ吸気用開口部１２１、１２２が形成され、負荷例えばナトリウムイオウ電池等の充電及び放電が可能な電池に電力を供給可能な構成で全体の機器の監視を行なうためのものである。
【００１２】
制御保護盤２０は、制御保護盤用筐体２１内の背面側の空間である室に例えば４台の吸気用ファン２２がそれぞれ上下方向に収納されると共に、盤全体の機器の制御を行う保護機器を収納したものである。この保護機器には、後述する冷却風が直接当らないようにすべき制御基板(図示せず)が含まれている。
【００１３】
電力変換器盤３０は、例えば４台で構成され、その各々は変換器盤用筐体３１内に電力供給源例えば電力系統からの交流電力を直流電力に変換した電力を前記負荷に供給する電力変換器を収納したものであって、電力変換器を構成する半導体デバイスは各々半導体素子３２例えばＩＧＢＴに放熱フィン３３とミニファン３４が一体に形成されている。ここで、ミニファン３４で発生する風が放熱フィン３３に当り、これにより放熱フィン３３を冷却することで、各半導体素子３２が冷却される。この半導体素子３２を冷却した後の風は、図３の矢印に示すように電力変換器盤３０の筐体３１内を循環するように、放熱フィン３３にパネル３５が一体に形成されている。
【００１４】
連系変圧器盤４０は、連系変圧器盤用筐体４１内に電力供給源例えば電力系統からの交流電圧を降圧する連系変圧器４２が収納され、かつ筐体４１の入口側にミニファン４４(例えば各電力変換器盤３０に備えているものと同じもの)が設けられている。これは、電力変換器盤３０であってパネル３５の外側にある、半導体素子３２以外の回路素子例えばコンデンサ、リアクトル等が吸気用ファン２２と排気用ファン５３により発生する冷却風により冷却され、この冷却風が連系変圧器盤用筐体４１内に導かれるように、ミニファン４４が設けられている。
【００１５】
補機盤５０は、補機盤用筐体５１の側壁に排気用開口部５２が形成され、補機盤用筐体５１内であって排気用開口部から所定距離だけ離隔して排気用ファン５３が収納設置され、かつ前記電力系統からの交流電力を取り込み可能な構成となっている。
【００１６】
そして、監視盤１０と、制御保護盤２０と、電力変換器盤３０と、連系変圧器盤４０と、補機盤５０を順次所定方向に一直線状に並置した列盤構成とすると共に、各盤相互間を連通し、吸気用ファン２２により吸気用開口部１２１、１２２を介して前記列盤内に外気を吸入し、排気用ファン５３により排気用開口部５２を介して列盤外部に排出することで、制御保護盤用筐体２１の内部に発生する冷却風により、前記電力変換器及び前記連系変圧器を冷却するようにした受配電盤である。
【００１７】
以上述べた受配電盤は、強制風冷の横断冷却方式であるので、例えばナトリウムイオン電池を充電する場合のように、盤内発熱量が多い場合に有益である。また、以上述べた受配電盤は、少なくとも吸気盤と、風洞盤と、排気盤を順次所定方向に一直線状に並置したり、また監視盤１０と、制御保護盤２０と、電力変換器盤３０と、補機盤５０を順次所定方向に一直線状に並置したり、更に監視盤１０と、制御保護盤２０と、電力変換器盤３０と、連系変圧器盤４０と、補機盤５０を順次所定方向に一直線状に並置したりして列盤構成とすると共に、各盤相互間を連通し、吸気盤又は制御保護盤２０に有する吸気用ファン２２及び排気盤又は補機盤５０に有する排気用ファン５３により、盤内に発生する冷却風により、電力変換器、連系変圧器、補機を冷却するようにしたので、次のような作用効果が得られる。
【００１８】
１)従来、分散配置していた各機器を列盤構成とすることにより、全体の据付面積が縮小できる。
【００１９】
２)各機器で必要であった吸気フィルタを列盤構成の一方の端部側の盤のみに設けることで、大幅に吸気フィルタの枚数を削減できる。
【００２０】
３)従来各機器個別に備えていた強制風冷構成が不要で、この分、点数部品が不要で、部品点数が削減できる。
【００２１】
４)装置全体を風洞化するに当って、各列盤間の漏れ風量が生じないようにするため、冷却風流路の曲がりによる圧力損失や拡大、縮小損失を最小限に抑える構造となっている。
【００２２】
ここで、図４〜図１３を参照して各盤の構成について説明する。監視盤１０は、図４及び図５に示すように、筐体１１内のほぼ中央位置であって冷却風の流れ方向に沿い、かつ上下方向に、仕切部材例えば３枚の縦仕切り板１３１、１３２、１３３を設置し、筐体１１内を左右の２室に分割し、左分割室１５Ｌと右分割室１５Ｒを形成する。この場合、各縦仕切り板１３１、１３２、１３３の相互間に例えば２ｍｍの水平方向の隙間１４がそれぞれ形成され、この隙間１４は吸気用ファン２２及び排気用ファン５３により発生する冷却風の一部である微弱な冷却風を、所定方向、具体的には縦仕切り板１３１、１３２、１３３により仕切られた筐体１１内の左分割室１５Ｌから右分割室１５Ｒに導く導風路として作用する。このように仕切板同士の隙間１４を利用し、局所的に微小な循環流を生じさせることにより強制風冷装置において、制御保護盤２０内において精密機器等を装置内部に配置することが可能となる。
【００２３】
次に、制御保護盤２０は、図６に示すように制御保護盤用筐体２１の中央部に仕切部材例えば１枚の縦仕切板２３を上下方向に設置して制御保護盤用筐体２１内を正背面の室に分割し、背面室２４Ｂに例えば４台の吸気用ファン２２を設置し、正面室２４Ｆには何も設置しない。この場合、各吸気用ファン２２は監視盤１０の筐体１１に形成されている吸気用開口部１２１、１２２から所定距離例えば９００ｍｍだけ離隔させて設置されている。また、例えば４台の排気用ファン５３を補機盤の筐体５１２内にそれぞれ配置すると共に、各排気用ファン５３は補機盤５０の筐体５１２に形成されている排気用開口部５２から所定距離例えば９００ｍｍだけ離隔させて設置されている。
【００２４】
このように、吸気用ファン２２を吸気用開口部１２１、１２２から所定距離だけ離隔させることにより、吸気用ファン２２と排気用ファン５３によって発生する冷却風を整流でき、これによる圧力損失を低減できる。
【００２５】
また、排気用ファン５３を排気用開口部５３から所定距離だけ離隔させることにより、吸気用ファン２２と排気用ファン５３によって発生する冷却風を整流でき、これによる圧力損失を低減できると共に騒音の低減も見込める。このことについて実際に冷却性能試験を実施した結果、装置内に発生する熱量に対する必要風量を満足し、それぞれ部位における温度上昇が許容値内であったことから、必要な冷却性能を満足することができる。
【００２６】
そして電力変換器盤３０のうち、制御保護盤２０に連結される最上流側の電力変換器盤３０は、図７に示すように、筐体３１内の一方の開口部であって例えば右側位置に冷却風の流れ方向とは直交する方向で、かつ上下方向に、仕切部材例えば３枚の縦仕切り板３６１、３６２、３６３を設置し、筐体３１内を一つの縮小した室３７にする。この縮小した室３７には、前述した電力変換器を構成する半導体デバイスが収納される。この場合、各縦仕切り板３６１、３６２、３６３の相互間に例えば２ｍｍの水平方向の隙間３８がそれぞれ形成されている。
【００２７】
この隙間３８は吸気用ファン２２及び排気用ファン５３により発生する冷却風の一部である微弱な冷却風を、所定方向、具体的には上流側の電力変換器盤３０側から縦仕切り板３６１、３６２、３６３に相互間の隙間３８を通して制御保護盤２０の筐体２１に導かれる。なお、最上流側の電力変換器盤３０の筐体３１内では、半導体デバイスに有するミニファン３４からの風と、吸気用ファン２２及び排気用ファン５３により発生する冷却風とが合成される。
【００２８】
上流側、下流側、最下流側の電力変換器盤３０は、各筐体３１内には図８に示すように前述した縦仕切り板を何等設置しない。この場合には、各半導体デバイスに有するミニファン３４からの風と、吸気用ファン２２及び排気用ファン５３により発生する冷却風とが合成され、この合成風は各筐体を順次経て最下流側の排気用開口部５２から外部に排気される。このように各半導体デバイスにミニファン３４を取付けたので、放熱フィン３３にて発生する圧力損失を各デバイス毎で、均等に負担できる。
【００２９】
次に、連系変圧器盤４０は、図９に示すように連系変圧器盤用筐体４１内には風の流路断面積を少し減少させるための仕切部材例えば３個の仕切板４３を設けるとともに、この残り空間内に連系変圧器４２を収納設置したものである。
【００３０】
補機盤５０は、図１０に示すように補機盤用筐体５１１と、図１１に示すように補機盤用筐体５１２を備え、この両方の筐体５１１、５１２内には、風の流路断面積を減少させるための仕切部材例えば２個の仕切板５４、３個の仕切板５５を設けるとともに、この補機盤用筐体５１１、５１２の残りの空間にはそれぞれ配電盤補機(図示せず)及び前述した排気用ファン５３を排気用ファン５３の周囲を包囲すると共に、排気用開口部５２まで連結するように筒状のカバー５６を設置したものである。
【００３１】
図１２は、図３の列盤内に発生する冷却風の流れが、吸気用開口部１２１、１２２から排気用開口部５２の間であって、少なくとも電力変換器又は前記電力変換器の端部から排気用開口部５２に向かうに従い増速流となるように流路断面積が減少するように構成したことを説明するための図である。図１２(ａ)は図３のＡ−Ａ線に沿って切断した断面であり、この場合の流路断面積ＳＡである。図１２(ｂ)は図３のＢ−Ｂ線に沿って切断した断面であり、この場合の流路断面積ＳＢである。図１２(ｃ)は図３のＣ−Ｃ線に沿って切断した断面であり、この場合の流路断面積ＳＣである。各流路断面積の間には、ＳＣ＜ＳＢ＜ＳＡの関係が存在している。
【００３２】
この仕切り板を利用し、排気側に向かうに従い仕切り板開口面積(通風面積)を減少させることにより装置内部の流れを増速流とさせることができること、及び吸気用開口部１２１、１２２に対して所定の離隔距離を存して吸気用ファン２２が設置されていることから、雨水,塵埃浸入を抑制させることが可能である。
【００３３】
図１３は、以上述べた監視盤１０の筐体１１、制御保護盤２０の筐体２１、４個の電力変換器盤３０の筐体３１、連系変圧器盤４０の筐体４１、補機盤５０の筐体５１１、５１２は、いずれも各筐体を構成する部材例えば側面部材又は扉１及び屋根部材２の内側(図１３の例)又は外側にカバー３を配設し、前記各筐体を構成する部材と前記カバー３との間に空気層４を形成したものとなっている。
【００３４】
このように筐体の内側又は外側に空気層４を形成することで、防音効果並びに太陽光による輻射熱を遮断し、各機器盤内の発生熱量を低減する効果が期待できる。また、各盤には、天井がないため屋外に設置するに際しても盤内に雨水進入のおそれがない。さらに、吸気用ファン２２、排気用ファン５３を交換する際に、筐体２１、５１２の正面又は背面に設けられている扉１を開閉して行えるので、これらの換気用ファンの交換作業が容易となり、保守性が向上する。
【００３５】
さらにまた、本発明の実施形態によれば、雨水、塵埃浸入対策の低減が可能になる。従来であれば、屋根に設けていた排気用開口部からの雨水浸入対策を配慮しなくてはならないが、本発明の実施形態では、列盤方向に冷却することにより屋根に排気用開口部を設けない構造となる。従って、雨水への配慮も低減される。
【００３６】
また、各筐体の内側又は外側にカバーを設けるようにしたので、盤内の気密性を高めることができ、これにより、各列盤間は確実な密閉構造となることから、各列盤間における漏れ風量はなくなる。
【００３７】
(変形例)
本発明は、前述した実施形態に限定されず種々変形して実施できる。前述の実施形態では、列盤構成の吸気用開口部１２１、１２２から排気用開口部５２の間であって、列盤内に発生する冷却風の流れが、排気用開口部５２に向かうに従い増速流となるようにする構として、次のように構成したものを例にあげた。具体的には、吸気用開口部１２１、１２２から排気用開口部５２の間であって、電力変換器盤３０又は電力変換器盤３０の端部から排気用開口部５２に向かうに従い増速流となるように流路断面積が減少するように構成した例である。これに限らず、吸気用開口部１２１、１２２から排気用開口部５２の間に存在する機器盤ならなんでもよい。
【００３８】
前述の実施形態では、監視盤１０、制御保護盤２０、４個の電力変換器盤３０、連系変圧器盤４０、補機盤５０からなる受配電盤について説明したが、最低限、吸気盤と、排気盤と、吸気盤と排気盤の間に、風洞盤又は整風盤のごとき機器盤を備える構成であればよい。
【図面の簡単な説明】
【００３９】
【図１】本発明による受配電盤の概要を説明するための斜視図。
【図２】本発明による受配電盤の概略構成を説明するための斜視図。
【図３】本発明の受配電盤における第１の実施形態を示す概略平断面図。
【図４】図３のＨ矢印方向に見た拡大分解斜視図。
【図５】図３のＧ−Ｇ線に沿って矢印方向に見た拡大分解斜視図。
【図６】図３のＥ−Ｅ線に沿って矢印方向に見た拡大分解斜視図。
【図７】図３のＤ−Ｄ線に沿って矢印方向に見た拡大分解斜視図。
【図８】図３のＦ−Ｆ線に沿って矢印方向に見た拡大分解斜視図。
【図９】図３のＡ−Ａ線に沿って矢印方向に見た拡大分解斜視図。
【図１０】図３のＢ−Ｂ線に沿って矢印方向に見た拡大分解斜視図。
【図１１】図３のＣ−Ｃ線に沿って矢印方向に見た拡大分解斜視図。
【図１２】図３のＡ−Ａ線、Ｂ−Ｂ線、Ｃ−Ｃ線に沿って切断し矢印方向に見た拡大分解斜視図。
【図１３】図３の拡大側面図。
【図１４】(ａ)及び(ｂ)は従来の受配電盤の平面図及び正面図。
【図１５】(ａ)及び(ｂ)は従来の受配電盤の背面図及び右側面図。
【符号の説明】
【００４０】
０１…筐体、１…扉、０２…吸気口、２…屋根部材、０３…排気口、３…カバー、１１…監視盤用筐体、１４…隙間、１５Ｌ…左分割室、１５Ｒ…右分割室、２０…制御保護盤、２１…制御保護盤用筐体、２２…吸気用ファン、２３…縦仕切板、２４Ｂ…背面室、２４Ｆ…正面室、３０…電力変換器盤、３１…変換器盤用筐体、３２…半導体素子、３３…放熱フィン、３４…ミニファン、３５…パネル、３７…室、３８…隙間、４０…連系変圧器盤、４１…連系変圧器盤用筐体、４２…連系変圧器、４３…仕切板、４４…ミニファン、５０…補機盤、５１…補機盤用筐体、５２…排気用開口部、５３…排気用ファン、５４…仕切板、５５…仕切板、５６…カバー、１２１、１２２…吸気用開口部、１３１、１３２…縦仕切り板、３６１、３６２…縦仕切り板、５１１、５１２…補機盤用筐体。
【図１】
2008035635.tif 000003
【図２】
2008035635.tif 000004
【図３】
2008035635.tif 000005
【図４】
2008035635.tif 000006
【図５】
2008035635.tif 000007
【図６】
2008035635.tif 000008
【図７】
2008035635.tif 000009
【図８】
2008035635.tif 000010
【図９】
2008035635.tif 000011
【図１０】
2008035635.tif 000012
【図１１】
2008035635.tif 000013
【図１２】
2008035635.tif 000014
【図１３】
2008035635.tif 000015
【図１４】
2008035635.tif 000016
【図１５】
2008035635.tif 000017